(57)【特許請求の範囲】
【請求項１】
シャワーホースの先端に浄化剤装填フィルターを内装したシャワーヘッドを接続して、挿通するシャワー用水を浄化するようにした浄化シャワー器具であって、
シャワーヘッドに碗状等の浄化剤装填フィルターをそのメッシュストレーナ取付部側をシャワー口側に向けて装着するようにしているとともに、浄化剤装填フィルターのシャワー口側から浄化剤装填フィルターの底部側に向かってシャワー用水を流入して浄化剤を攪拌させる流入ガイドを所定の角度で配設したことを特徴とする浄化シャワー器具。
【請求項２】
流入ガイドを浄化剤装填フィルターの周面の法線方向に対して１０〜６０度の傾斜角、浄化剤装填フィルターの装着の軸方向に対して１０〜８０度の仰角として配設した請求項１に記載の浄化シャワー器具。
【請求項３】
シャワーホースの先端に内装したシャワーヘッドを接続して、挿通するシャワー用水を内装したフィルターで浄化するようにした浄化シャワー用フィルターであって、
碗状等の浄化剤装填フィルターのシャワー口側にメッシュストレーナ取付部の側周部から浄化剤装填フィルターの内部側に向かってシャワー用水を流入させて装填した浄化剤を攪拌させる流入ガイドを所定の角度で配設したことを特徴とする浄化シャワー用フィルター。
【請求項４】
装填した浄化剤を攪拌するためのシャワー用水の流入ガイドを浄化剤装填フィルターの円周方向にそうとともに、底部側に向かうようにして配設した請求項３に記載の浄化シャワー用フィルター。
【請求項５】
流入ガイドを浄化剤装填フィルターの周面の法線方向に対して１０〜６０度の傾斜角、浄化剤装填フィルターの装着の軸方向に対して１０〜８０度の仰角として配設した請求項４に記載の浄化シャワー用フィルター。
【発明の詳細な説明】
【０００１】
【発明の技術分野】
本発明は、健康・美容分野における浄化シャワー器具に関する。
【０００２】
【従来の技術】
近年、我が国においても、シャワーが多用されるようになってきているが、水道水の中には塩素が含有されていて、髪や肌によくないものであった。
【０００３】
そこで、髪や肌にやさしいようにシャワーホースの先端に取り付けるシャワー器具に活性炭等を内装して、髪や肌の大敵である水道水中の残留塩素を除去し、髪や肌にやさしい水にしてシャワーできるものが使用されている。
【０００４】
【発明が解決しようとする課題】
しかし、従来の浄化シャワー器具では、活性炭等の粒子を装填した浄化剤装填フィルターを装着しているが、シャワーホース側から水が流入すると、水圧で活性炭等がシャワーヘッド側へ押しやられてメッシュストレーナに密集状態となり、水圧が下がるとともにシャワー水量が低下し、さらに浄化能力が低下するもので、改善することが望まれていた。
【０００５】
そのため、出願人は、シャワーホースに接続する筒状のシャワー器具本体に浄化剤がメッシュストレーナに押し寄せて詰まらないように工夫した浄化シャワー器具を開発したが、使用用途によっては浄化シャワー器具が大きく、できるだけ小型化することが要望された。
【０００６】
【課題を解決するための手段】
本発明は、上記のような点に鑑みたもので、上記の課題を解決するために、シャワーホースの先端に浄化剤装填フィルターを内装したシャワーヘッドを接続して、挿通するシャワー用水を浄化するようにした浄化シャワー器具であって、シャワーヘッドに碗状等の浄化剤装填フィルターをそのメッシュストレーナ取付部側をシャワー口側に向けて装着するようにしているとともに、浄化剤装填フィルターのシャワー口側から浄化剤装填フィルターの底部側に向かってシャワー用水を流入して浄化剤を攪拌させる流入ガイドを所定の角度で配設したことを特徴とする浄化シャワー器具およびフィルターを提供するにある。
【０００７】
【発明の実施の形態】
本発明の浄化シャワー器具およびフィルターは、シャワーホースの先端に浄化剤装填フィルターを内装したシャワーヘッドを接続して、挿通するシャワー用水を浄化するようにした浄化シャワー器具であって、シャワーヘッドに碗状等の浄化剤装填フィルターをそのメッシュストレーナ取付部側をシャワー口側に向けて装着するようにしているとともに、浄化剤装填フィルターのシャワー口側から浄化剤装填フィルターの底部側に向かってシャワー用水を流入して浄化剤を攪拌させる流入ガイドを所定の角度で配設したことを特徴としている。
【０００８】
浄化シャワー器具１は、図１、図２のように手に持ちやすい小型の円筒状のシャワーヘッド２であって、そのシャワーヘッド２の一側にシャワーホース接続部３を突設し、正面側の多数の噴出孔４を開口したシャワー口５から水道水等の水をシャワーできるようにしている。
【０００９】
上記シャワーヘッド２には、図１のようにシャワーヘッド２と同心円状や偏心させたりして碗状や筒状の浄化剤装填フィルター６を所定のメッシュのメッシュストレーナ７をシャワー口５側に向けて装着し、シャワーホース接続部３から流入した水を矢印のように上記浄化剤装填フィルター６の側周部とシャワーヘッド２の内側で形成した空間８を通して、浄化剤装填フィルター６のメッシュストレーナ７の側周部から流入して、シャワー口５から流出するようにしている。
【００１０】
シャワーヘッド２の正面側のヘッド開口部９には、図１のように図３に示す浄化剤装填フィルター６を交換可能に取付部１０を螺着して、浄化剤装填フィルター６の底部をシャワーヘッド２の内底部に押しつけるようにして装着するようにしている。
【００１１】
上記取付部１０は、図３、図４のように円筒状の周部を本体１１に溶着して一体的とし、その内面部に補強用リブ１２を十字状等に配設して中央部にシャワー口５をねじ１３で取着するねじ孔１４を設け、その外周部に段部１５を設けてＯ−リング１６を装着してシャワーヘッド２との間を水密的にして、シャワー用水が漏出しないようにしている。
【００１２】
また、この段部１５を設けた上周部には、図３、図４のように浄化剤装填フィルター６の周面の法線方向に対して１０〜６０度の傾斜角、碗軸方向に対して１０〜８０度の仰角の所定の間隔で流入ガイド１７を周設し、シャワー用水を浄化剤装填フィルター６の円周方向の円周面にそうとともに底部側に向かって流入するようにし、浄化剤装填フィルター６に装填した粒状の塩素除去の浄化剤１８を十分に攪拌して浄化剤１８が押し寄せてメッシュストレーナ７が詰まらないようにしている。
【００１３】
上記した流入ガイド１７の傾斜角が１０度より小さいとシャワー用水が浄化剤に均一状に挿通しなくなり、また６０度や８０度より大きくなるとシャワー用水の衝突が多くなって好ましくない。特に、好ましい角度としては、法線方向に対して１０〜３０度としてシャワー用水が旋回するようにし、また碗筒軸方向に対して１０〜５０度として碗底面の中心部に向かってシャワー用水が流入するようにするのがよい。
【００１４】
【実施例】
図１〜図４は、本発明の一実施例のもので、シャワーヘッド２を５０mm径、４０mm厚さの円筒状として、図１のように浄化剤装填フィルター６の底面の隅部を円滑な曲面状とし、浄化剤装填フィルター６の流入ガイド１７を図３、図４のように周面方向に対して５０度、碗軸方向に対して２０度の傾斜角として突設した。
【００１５】
そして、浄化剤装填フィルター６に残留塩素除去用の１〜３mm径の粒状の浄化剤１８を充填し、メッシュストレーナ７に１２０メッシュのステンレススチールメッシュを装着したものを使用して、シャワーに試用した。
【００１６】
その結果、シャワー用水で浄化剤を攪拌できて、従来のものではシャワーの水圧が低下していたが、本発明のものではシャワー水量がほとんど低下せず、水圧も強く、肌や髪に心地よくシャワーできるもので、所望の効果をあげることができた。
【００１７】
また、浄化剤が攪拌するため、浄化剤と水との接触効率がよくて浄化作用を向上でき、さらに浄化剤同志も衝突を繰り返して表面が研磨されるので、浄化効果が落ちずに維持できた。そのため、浄化剤の装填量を少なくすることもできる。
【００１８】
また、シャワーヘッドが小型のものなので、洗面所での洗髪用に好適に使用でき、さらに理髪店や美容店等においても本浄化シャワー器具を握りやすく、従来品と同様に使用できて所望の効果をあげることができる。
【００１９】
上記実施例では、浄化剤装填フィルターにシャワー口の目皿取付用ねじや固定材を設けたが、別体とすることもでき、またシャワーヘッドに碗状の浄化剤装填フィルターを内装したが、筒状の浄化剤装填フィルターを取着したり、またシャワーヘッドの外側からシャワー用水を内側に流入するようにもでき、さらにはシャワーヘッドや浄化剤装填フィルターの側周部に流入ガイドを設けたり、中央部からシャワー用水を流入するようにしてその先端に傘状の流入ガイドを設けたりして、シャワー用水で浄化剤を上記したように攪拌するなど、本発明の趣旨にもとづいて適宜に実施することができるものである。
【００２０】
なお、上記実施例では、シャワーヘッド部のみのものについて説明したが、握り部を有するものについても同様に実施することができる。
【００２１】
【発明の効果】
以上のように本発明にあっては、シャワーヘッドに内装した浄化剤装填フィルターにシャワー用水をシャワー口側から浄化剤装填フィルターの底部側に向かってシャワー用水を流入して浄化剤を攪拌させる流入ガイドを挿通することができ、浄化剤を攪拌できてメッシュストレーナに浄化剤が押し寄せて詰まらないようにでき、シャワーの水量、水圧を低下することなく、所望通りにシャワーすることができる。
【００２２】
そして、シャワーヘッド部に装填した浄化剤をシャワー用水で攪拌するようにすることによって、メッシュストレーナの目詰りを有効に防止できるとともに、浄化剤と水との接触効率がよくて浄化作用が向上し、さらに浄化剤同志も衝突を繰り返して表面が研磨されて浄化効果が落ちず、シャワー用水中の残留塩素を確実に除去でき、肌や髪にやさしい水にすることができる。
特に、流入ガイドを浄化剤装填フィルターの周面の法線方向に対して１０〜６０度の傾斜角、浄化剤装填フィルターの装着の軸方向に対して１０〜８０度の仰角として配設することによって、浄化剤装填フィルターに装填した粒状の塩素除去の浄化剤を十分に攪拌して浄化剤が押し寄せてメッシュストレーナが詰まらないようにできる。
【００２３】
また、浄化剤装填フィルターの流入ガイドを浄化剤装填フィルターの円周方向にそうとともに、底部側に向かうようにして配設することによって、シャワー用水が浄化剤装填フィルター内を旋回して浄化剤を十分に攪拌して、上記した効果を一層高めるようにできる。そして、上記したように流入ガイドを浄化剤装填フィルターの周面の法線方向に対して１０〜６０度の傾斜面、浄化剤装填フィルターを装着の軸方向に対して１０〜８０度の仰面として配設することによって、浄化剤装填フィルターに装填した粒状の塩素除去の浄化剤を十分に攪拌して浄化剤が押し寄せてメッシュストレーナが詰まらないようにできる。
【図面の簡単な説明】
【図１】本発明の一実施例の側断面図、
【図２】同上の正面図、
【図３】同上の浄化剤装填フィルターの断面図、
【図４】同上の平断面図。
【符号の説明】
１…浄化シャワー器具    ２…シャワーヘッド      ５…シャワー口
６…浄化剤装填フィルター        ７…メッシュストレーナ
１７…流通ガイド        １８…浄化剤
【図１】
0003817014.tif 000002
【図２】
0003817014.tif 000003
【図３】
0003817014.tif 000004
【図４】
0003817014.tif 000005